(57)【特許請求の範囲】
【請求項１】
レーザー光を少なくとも２ビーム以上に分けて、第１のスポットと１個以上の第２のスポットで記録媒体上に集光し、前記記録媒体へのデータの書き込み時に前記第１のスポットと前記第２のスポットそれぞれからの反射光を光電変換して複数のサーボ信号を得る光ディスク装置において、
前記第１のスポットからの反射光を第１の電気信号に変換する第１の変換手段と、
第１状態と第２状態との間で遷移する第１のサンプリングタイミング信号を受取り、該第１のサンプリングタイミング信号の第１状態から第２状態への遷移をトリガエッジとして前記第１の電気信号をサンプリングする第１のサンプルホールド手段と、
前記第２のスポットからの反射光を第２の電気信号に変換する第２の変換手段と、
第１状態と第２状態との間で遷移する第２のサンプリングタイミング信号を受取り、該第２のサンプリングタイミング信号の第１状態から第２状態への遷移をトリガエッジとして前記第２の電気信号をサンプリングする第２のサンプルホールド手段と、
前記第１のサンプルタイミング信号から前記第２のサンプルタイミング信号を生成する信号生成手段と、
前記第１、第２のサンプルホールド手段により得られたサンプルホールド信号を次段の信号処理回路に伝送する伝送手段とを備え、
前記第１のサンプリングタイミング信号は、トリガエッジの発生間隔が変化する信号であり、
前記信号生成手段は、
（ａ）前記第１のサンプリングタイミング信号のトリガエッジの発生間隔が所定間隔を超える場合に、前記第１のサンプリングタイミング信号のトリガエッジの発生に対応して前記第２のサンプリングタイミング信号にトリガエッジを発生させ、
（ｂ）前記第１のサンプリングタイミング信号のトリガエッジの発生間隔が前記所定間隔を超えない場合に、前記第２のサンプリングタイミング信号のトリガエッジの発生を阻止するように構成されており、
もって、前記第１の電気信号のサンプリング間隔が前記所定間隔を超える場合に前記第２の電気信号のサンプリングが行われ、前記第１の電気信号のサンプリング間隔が前記所定間隔を超えない場合に前記第２の電気信号のサンプリングが省かれるようにした、
ことを特徴とする光ディスク装置。
【請求項２】
前記第１のスポット及び前記第２のスポットは、夫々、前記光ディスク装置のメインスポット及びサイドスポットであり、前記第１のサンプリングタイミング信号は、前記レーザー光のパワーが書込時パワーから非書込時パワーへ遷移してから第１の所定時間が経過したときに第１状態から第２状態へ遷移し、前記レーザー光のパワーが非書込時パワーから書込時パワーに遷移することに伴って第２状態から第１状態へ遷移する信号であることを特徴とする請求項１記載の光ディスク装置。
【請求項３】
前記信号生成手段は、
（ａ）前記第１のサンプリングタイミング信号が第１状態から第２状態へ遷移してからその第２状態を維持したまま第２の所定時間が経過したときに、前記第２サンプリングタイミング信号を第１状態から第２状態へ遷移させ、
（ｂ）前記第１のサンプリングタイミング信号が第２状態から第１状態へ遷移したときに、前記第２のサンプリングタイミング信号を第１状態に維持または遷移させるように構成されている、
ことを特徴とする請求項２記載の光ディスク装置。
【請求項４】
前記信号生成手段は、
前記第１のサンプルタイミング信号を第２の所定時間だけ遅延させた遅延サンプリングタイミング信号を生成する遅延回路と、
前記第１のサンプルタイミング信号の状態と、前記遅延サンプリングタイミング信号の状態とに基づいて、前記第２のサンプルタイミング信号の状態を設定する状態設定回路とを備えており、
前記状態設定回路は、
（ａ）前記第１のサンプリングタイミング信号が第２状態にあり、前記第２のサンプリングタイミング信号が第１状態にあり、前記遅延サンプリングタイミング信号が第１状態から第２状態へ遷移したときに、前記第２のサンプルタイミング信号を第１状態から第２状態へ遷移させ、
（ｂ）前記第１のサンプリングタイミング信号が第２状態から第１状態へ遷移したときに、前記第２のサンプリングタイミング信号を第１状態に維持または遷移させるように構成されている、
ことを特徴とする請求項２記載の光ディスク装置。
【請求項５】
前記第１、第２の変換手段と、前記第１、第２のサンプルホールド手段と、前記信号生成手段とを共に集積化して１チップの回路とすることを特徴とする請求項１記載の光ディスク装置。
【請求項６】
前記第１のスポットをメインスポットＭとし、前記第２のスポットを２個としそれぞれをサイドスポットＳ１、Ｓ２とすると、サイドスポットＳ１、Ｓ２はメインスポットＭに対して記録媒体の半径方向にトラックピッチの半分だけずらして配置することを特徴とする請求項１記載の光ディスク装置。
【発明の詳細な説明】
【技術分野】
【０００１】
本発明は、ＣＤＲやＤＶＤＲ等の光ディスク（記録媒体）に書き込み可能な光ディスク装置に係り、特に光ピックアップ内での光電変換信号のサンプルホールドに関する。
【背景技術】
【０００２】
光ピックアップに内蔵されているフォトディテクタ回路により得られる書き込み時の半導体レーザーのディスク反射光に対応した光電変換信号は、図５（Ａ）に示すような形であるが、通常フレキシブルケーブルを通してＲＦ信号処理回路に伝送される（例えば特許文献１参照）。ＲＦ信号処理回路はフレキシブルケーブルを通して入力される光電変換信号に基づいてサーボ信号やＡＰＣ制御信号等を算出する。サーボ信号を算出するには半導体レーザーがバイアスパワーで発光している期間の光電変換信号（図５（Ａ）のローレベル期間）をサンプリングすることが必要である。しかし、記録倍速が増大するとサンプリング期間が短くなるため、書き込み期間の光電変換信号がバイアス期間（図５（Ａ）のローレベル期間）の光電変換信号に移行した際の信号静定時間を短くする必要がある。
【０００３】
しかしながら、上記したフレキシブルケーブルは電気的には分布定数線路として動作し、また１５０ＭＨｚ付近にピークを持つ周波数特性を有している。それ故、静定時間を短くするためにフォトディテクタ回路の出力のスルーレートを上げても、図５（Ｂ）に示すようにバイアス期間の光電変換信号（ローレベル期間）のバイアスパワー部分に発生するリンギング５０が大きくなるだけで、静定時間はかえって悪化してしまう。
【０００４】
またスルーレートを上げる事はフレキシブルケーブルの容量成分や後段のＲＦ信号処理回路の入力容量等の負荷容量を短時間でチャージする事を意味しているので、フォトディテクタ回路の終段に流す回路電流を大きくしなければならないため、消費電力の増大を招き、パッケージの許容する消費電力を超えてしまうので、その意味でも静定時間を短くする事はできない。そのため、書き込みパワーからバイアスパワーへの静定時間は１０ｎｓ台から短くする事は非常に難しく、これでは、記録倍速が大きくなった場合に対処できなくなり、サーボの精度が悪化し、場合によってはトラッキングサーボが掛けられなくなってしまうという問題があった。
【０００５】
そこで、フォトディテクタ回路内にサンプルホールド回路を装備して光電変換信号をフレキブルケーブル伝送前にサンプルホールドすることにより、振幅の小さいサンプルホールド信号をフレキシブルケーブルを通して伝送する方法が考えられる。これにより、フレキシブルケーブルを通して伝送される信号は大きなレベル変動を伴わない信号となるので、大きなスルーレートを持った回路を必要としない。またサンプルホールド回路としてホールドコンデンサの容量は大きなものは必要ないので（ＣＤ×１の１１Ｔまで、１００ｋＨｚ程度）その前段の電流電圧変換回路のドライブ電流としては大電流を必要としない。しかも、フレキシブルケーブルを駆動する必要がないので負荷が大きくないため、初段のスルーレートは十分大きくすることが可能になり、信号の静定時間を短くすることができる。
【０００６】
また、高倍速記録時にはクロック周波数が高くなる、例えばＤＶＤの１６倍記録ではクロック周波数は４００MHz程度になるので最低長さのバイアスパワー発光区間（３Ｔ）で信号をサンプリングしようとした場合、７．５ｎｓ、４Ｔからサンプリングする場合でも、１０ｎｓ以下で光電変換信号を静定しなければならないか、現状の回路では達成する事はできない。
【特許文献１】特開平１１−５３７５３号公報 （第５頁、第１図）
【発明の開示】
【発明が解決しようとする課題】
【０００７】
ところで、光ディスクへの記録再生を行う装置のトラッキングサーボ方式として、従来からプッシュプル法（ＰＰ法）や３ビーム法が採用され、その代表的なものに差動プッシュプル法（ＤＰＰ法）がある。
【０００８】
ここで、差動プッシュプル法（ＤＰＰ法）の原理を図６に示す。図６に示すように、回折格子により形成された３つのビームのスポットＭ、Ｓ１、Ｓ２を、サイドスポットＳ１、Ｓ２がメインスポットＭに対して、ディスクの半径方向にトラックピッチＰの半分だけずらして配置する。そして、各スポットＭ、Ｓ１、Ｓ２に対して、プッシュプル信号を得ることができるように、メインスポットとふたつのサイドスポットの反射光をそれぞれフォトディテクタで光電変換し、メインスポットの光電変換信号とサイドスポットの光電変換信号に対して、上記したサンプリングを行わなければならない。
【０００９】
ここでメインスポットに対する光電変換信号についてはアドレス信号の検出を考えると最短繰り返しである３Ｔスペースの間にサンプリングを行う必要がある。サイドスポットに対する光電変換信号についてはサーボ信号のみを検出できれば良いので、本来は６Ｔ信号以上で信号が検出できれば良いが、同じサンプルタイミングでメインスポット出力とサイドスポット出力をサンプリングした場合には、サイドスポット側の回路もメイン側と同じだけの帯域やセトリング特性が必要になるという問題があり、帯域が非常に広く必要になるため不必要にサイドスポット側の回路の動作に余裕がなくなり、その分、回路動作が不安定になるため、これを解消するための設計や回路上の工夫が必要で回路規模が大きくなったり、製造コストが上昇するなどの不都合があった。そこで、メインスポット側とサイドスポット側のサンプルタイミングを変えれば良いが、これではサンプルタイミング信号発生部が複雑になると共に、サンプルタイミング信号を伝送する配線が多くなってフレキシブルケーブルのサイズが大きくなり、装置のコンパクト化に反するという不具合が生じる。
【００１０】
本発明は前記事情に鑑み案出されたものであって、本発明の目的は、メインスポット側のサンプルタイミング信号を伝送するだけでサイドスポット側の光電変換信号のサンプルホールドを行えるようにしてフレキシブルケーブルのサイズを抑制でき且つ、サイドスポット側の回路の帯域特性をメインスポット側回路のそれより狭くでき且つセトリング特性を長くすることができる光ディスク装置を提供することにある。
【課題を解決するための手段】
【００１１】
本発明は上記目的を達成するために、レーザー光を少なくとも２ビーム以上に分けて、第１のスポットと１個以上の第２のスポットで記録媒体上に集光し、前記記録媒体へのデータの書き込み時に前記第１のスポットと前記第２のスポットそれぞれからの反射光を光電変換して複数のサーボ信号を得る光ディスク装置において、前記第１のスポットからの反射光を第１の電気信号に変換する第１の変換手段と、第１状態と第２状態との間で遷移する第１のサンプリングタイミング信号を受取り、該第１のサンプリングタイミング信号の第１状態から第２状態への遷移をトリガエッジとして前記第１の電気信号をサンプリングする第１のサンプルホールド手段と、前記第２のスポットからの反射光を第２の電気信号に変換する第２の変換手段と、第１状態と第２状態との間で遷移する第２のサンプリングタイミング信号を受取り、該第２のサンプリングタイミング信号の第１状態から第２状態への遷移をトリガエッジとして前記第２の電気信号をサンプリングする第２のサンプルホールド手段と、前記第１のサンプルタイミング信号から前記第２のサンプルタイミング信号を生成する信号生成手段と、前記第１、第２のサンプルホールド手段により得られたサンプルホールド信号を次段の信号処理回路に伝送する伝送手段とを備え、前記第１のサンプリングタイミング信号は、トリガエッジの発生間隔が変化する信号であり、前記信号生成手段は、（ａ）前記第１のサンプリングタイミング信号のトリガエッジの発生間隔が所定間隔を超える場合に、前記第１のサンプリングタイミング信号のトリガエッジの発生に対応して前記第２のサンプリングタイミング信号のトリガエッジを発生させ、（ｂ）前記第１のサンプリングタイミング信号のトリガエッジの発生間隔が前記所定間隔を超えない場合に、前記第２のサンプリングタイミング信号のトリガエッジの発生を阻止するように構成されており、もって、前記第１の電気信号のサンプリング間隔が前記所定間隔を超える場合に前記第２の電気信号のサンプリングが行われ、前記第１の電気信号のサンプリング間隔が前記所定間隔を超えない場合に前記第２の電気信号のサンプリングが省かれるようにしたことを特徴とする。
【００１２】
このように本発明の光ディスク装置では、第１のサンプルホールド手段のサンプルタイミングを決める第１のサンプルタイミング信号から第２のサンプルホールド手段のサンプルタイミングを決める第２のサンプルタイミング信号を生成しているため、第２のサンプルタイミング信号を送る配線を省略することができる。また、第２のサンプルホールド手段を専用の第２のサンプルタイミング信号により動作させているため、第２のスポットからの反射光を電気信号に変換する第２の変換手段の帯域を第１の変換手段の帯域よりも狭くしたり、そのセトリング特性を長くすることができる。
【発明の効果】
【００１３】
本発明によれば、メインスポット系の第１のサンプルホールド手段のサンプルタイミングを決める第１のサンプルタイミング信号からサイドスポット系の第２のサンプルホールド手段のサンプルタイミングを決める第２のサンプルタイミング信号を生成しているため、第２のサンプルタイミング信号を送る配線を省略することができ、フレキシブルケーブルのサイズを小さくすることがで、装置のコンパクト化を促進することができる。
また、サイドスポット系の第２のサンプルホールド手段を専用の第２のサンプルタイミング信号により動作させているため、第２のスポットからの反射光を電気信号に変換する第２の変換手段の帯域を第１の変換手段の帯域よりも狭くしたり、そのセトリング特性を長くすることができ、サイドスポット側の回路に最適で安価なものを使用することができる。
さらに、フォトディテクタ回路及びフロントモニタフォトディテクタ回路にて、前記記録媒体の反射光を光電変換して得られる電気信号をサンプルホールドしてその振幅を小さくし、このサンプルホールド信号を次段の信号処理回路に伝送することにより、伝送手段としてフレキシブルケーブルを用いても前記反射光の正確な光電変換情報を次段の処理回路に伝送することができる。しかも、フォトディテクタ回路及びフロントモニタフォトディテクタ回路でのサンプリング時の書き込みパワーからバイアスパワーへの静定時間はフレキシブルケーブルを駆動する必要がないため、初段のスルーレートを上げて短くすることができる。それ故、サンプルホールド信号をＲＦ信号処理回路に波形変形など無く伝送することができるので、記録倍速数が大きくなっても消費電力の増大無く、次段のＲＦ信号処理回路における信号処理を安定で精度良く行って、円滑な書き込み動作を行うことができる。
【発明を実施するための最良の形態】
【００１４】
メインスポット側のサンプルタイミング信号を伝送するだけでサイドスポット側の光電変換信号のサンプルホールドも行えるようにしてフレキシブルケーブルのサイズを抑制でき且つ、サイドスポット側の回路の帯域特性をメインスポット側回路のそれより狭くでき且つセトリング特性を長くする目的を、フォトディテクタ回路におけるメインスポット系の第１のサンプルホールド手段のサンプルタイミングを決める第１のサンプルタイミング信号からサイドスポット系の第２のサンプルホールド手段のサンプルタイミングを決める第２のサンプルタイミング信号を同フォトディテクタ回路内で生成して前記第２のサンプルホールド手段に供給することにより実現した。
【実施例１】
【００１５】
図１は、本発明の一実施の形態に係る光ディスク装置の構成を示したブロック図である。光ディスク装置は、対物レンズ１、ビームスプリッタ（ＢＳ）２、集光レンズ３、４、半導体レーザー（ＬＤ）５、半導体レーザー５を駆動するレーザー駆動回路（ＬＤＤ）６、フォトディテクタ回路（ＰＤＩＣ）７、フロントモニタフォトディテクタ回路（ＦＰＤＩＣ）８、ＲＦ信号処理回路９、デジタルシグナルプロセッサ（ＤＳＰ）１０、コントローラ１１を有して構成されている。
【００１６】
フォトディテクタ回路７は、フォトディテクタ（ＰＤ）７１、電流電圧変換器（Ｉ／Ｖ）７２、サンプルホールド回路（Ｓ／Ｈ）７３、７４を有している。フロントモニタフォトディテクタ回路８は、フォトディテクタ（ＰＤ）８１、電流電圧変換器（Ｉ／Ｖ）８２、サンプルホールド回路（Ｓ／Ｈ）８３、８４を有している。ＲＦ信号処理回路９はＯＰＣ９１、ウォブル・アドレス検出回路（ＷＯＢＢＬＥ・ＡＤＤＲＥＳＳ）９２、サーボ信号生成回路（ＳＥＲＶＯ）９３、ＲＦ信号生成回路（ＲＦ）９４、自動出射パワー制御回路（ＡＰＣ）９５を有している。デジタルシグナルプロセッサ１０は、サーボ回路１０１、信号処理回路１０２、デコーダ１０３、書き込みストラテジ・タイミング発生回路１０４、エンコーダ１０５を有している。但し、特許請求の範囲の信号処理回路はＲＦ信号処理回路９に相当する。
【００１７】
図２は図１に示したフォトディテクタ回路７の詳細例を示したブロック図である。フォトディテクタ（ＰＤ）７１は、図６に示すようなメインスポットＭとサイドスポットＳ１、Ｓ２の各領域Ａ〜Ｈを受光するように、Ａ〜Ｈで示される受光領域を有している。各受光領域Ａ〜Ｈで反射光が対応する電流に変換されて得られた信号は電流電圧変換器で電圧信号に変換されるが、この図では便宜上、代表的な電流電圧変換器７２Ｄ、７２Ｇのみを示してある。こうして得られた光電変換信号はサンプルホールド回路７３Ｄ、７４Ｄ、７４Ｇでサンプルホールドされる。実際には各受光領域に対応して回路があるため、メインスポット系として図示した構成が４個あり、サイドスポット系も図示した構成が４個ある。したがって、８個の電流電圧変換器７２Ａ〜７２Ｈと、４個のサンプルホールド回路７３Ａ〜７３Ｄ、８個のサンプルホールド回路７４Ａ〜７４Ｈがあることになる。但し、特許請求の範囲の第１の変換手段はフォトディテクタ７１のＡ、Ｂ、Ｃ、Ｄ領域と電流電圧変換器７２Ａ、７２Ｂ、７２Ｃ、７２Ｄ（これのみ図示）に相当し、第１のサンプルホールド手段はサンプルホールド回路７４Ａ、７４Ｂ、７４Ｃ、７４Ｄ（これのみ図示）に相当し、第２の変換手段はフォトディテクタ７１の領域Ｅ、Ｆ、Ｇ、Ｈと電流電圧変換器７２Ｅ、７２Ｆ、７２Ｇ（これのみ図示）、７２Ｈに相当し、第２のサンプルホールド手段はサンプルホールド回路７４Ｅ、７４Ｆ、７４Ｇ（これのみ図示）、７４Ｈに相当し、また特許請求の範囲の第１のスポットは図６で示したメインスポットＭに相当し、第２のスポットが２個である場合は図６で示したサイドスポットＳ１、Ｓ２に相当する。尚、以降の説明では代表して図示してある電流電圧変換器及びサンプルホールド回路を用いる。
【００１８】
次に本実施の形態のディスク書き込み動作について説明する。コントローラ１１は、書き込みデータ２００をエンコーダ１０５に出力する。エンコーダ１０５は書き込みデータ２００をエンコードし、このエンコードした書き込みデータ２０１を書き込みストラテジ・タイミング発生回路１０４に出力する。書き込みストラテジ・タイミング発生回路１０４は書き込みデータ２０１に応じた書き込みパルスを発生し、この書き込みパルスをレーザー駆動回路６に出力する。
【００１９】
レーザー駆動回路６はバイアスパワー出力に乗せて書き込みパルスに応じたパワーの増減を行なう。従って、レーザー光のパワーは、書込時パワー（バイアスパワーに書き込みパルスが乗せられたときのパワー）と、非書込時パワー（書き込みパルスが乗せられていないバイアスパワーのみから成るパワー）との間で遷移するように変調される。この変調されたレーザー光をビームスプリッタ２、対物レンズ１を通して光ディスク１００上に集光してデータを書き込む。その際、光ディスク１００により反射されたレーザー光はビームスプリッタ２により分岐され、一方はフォトディテクタ回路７のフォトディテクタ７１に入力され、他方はフロントモニタフォトディテクタ回路８のフォトディテクタ８１に入力される。
【００２０】
フォトディテクタ回路７のフォトディテクタ７１はレーザー光を受光して対応する電流に変換し、電流電圧変換器７２はそれを電圧に変換して受光信号としてサンプルホールド回路７３、７４に出力する。サンプルホールド回路７３、７４は受光信号をサンプルホールドし、ＲＦ信号処理回路９にフレキシブルケーブル（図示せず）を通して伝送する。
【００２１】
同様に、フロントモニタフォトディテクタ回路８のフォトディテクタ８１はレーザー光を受光して対応する電流に変換し、電流電圧変換器８２はそれを電圧に変換してパワーモニタ信号としてサンプルホールド回路８３、８４に出力する。サンプルホールド回路８３、８４はパワーモニタ信号をサンプルホールドし、ＲＦ信号処理回路９にフレキシブルケーブル（図示せず）を通して伝送する。
【００２２】
ここで、フォトディテクタ回路７で用いられるサンプルホールド回路の動作について図２を参照して説明する。図２に示したように、フォトディテクタ回路７ではメインスポット系とサイドスポット系の２種類の回路系があり、メインスポット系のサンプルホールド回路７３Ｄ、７４Ｄに比べて、サイドスポット系のサンプルホールド回路７４Ｇの帯域は狭く且つ、そのセトリング特性は長く設定されている。
【００２３】
そこで、本実施の形態では、書き込みストラデジ・タイミング発生回路１０４から発生されるメインスポット系のサンプルタイミング信号３０２により、サイドスポット系のサンプルホールド回路７４Ｇを動作させるサンプルタイミング信号をフォトディテクタ回路７で生成している。
【００２４】
図３はメインスポット系の第１のサンプルタイミング信号３０２からサイドスポット系の第２のサンプルタイミング信号３５０を生成する信号生成回路６０を示したブロック図である。サンプルタイミング信号生成回路６０は、ディレイ回路３０、ＳＲフリップフロップ３１、Ｄフリップフロップ３２、３３で構成されている。ＳＲフリップフロップ３１のＳ（セット）端子とＲ（リセット）端子は立ち上がりエッジでそれぞれセット動作、リセット動作を行い、Ｄフリップフロップ３２、３３のＲ（リセット）端子はそれぞれ立ち下がりエッジでリセット動作を行うようになっている。
【００２５】
図４（Ｂ）に示したような第１のサンプルタイミング信号３０２は元々メインスポット系のサンプルホールド用であるため、このままメインスポット系のサンプルホールド回路に入力される。即ち、第１のサンプルタイミング信号３０２は、直接メインスポット系のサンプルホールド回路７４Ｄに入力され、サンプルホールド回路７４Ｄは入力される第１のサンプルタイミング信号３０２のハイレベル期間で、図４（Ａ）に示したような光電変換信号（書き込みデータに対応）のローレベル期間をサンプリングする。なお、メインスポット系のサンプルホールド回路７３Ｄはサンプルタイミング信号３０１で動作する。
図４（Ａ）と図４（Ｂ）とを見比べれば明らかなように、第１のサンプリングタイミング信号３０２は、レーザー光のパワーが書込時パワーから非書込時パワーへ遷移してから（即ち、図４（Ａ）の信号が立ち下がってから）第１の所定時間が経過したときにローレベルからハイレベルへ遷移し、また、レーザー光のパワーが非書込時パワーから書込時パワーに遷移することに伴って（即ち、図４（Ａ）の信号が立ち上がることに伴って）ハイレベルからローレベルへへ遷移する信号である。
そして、レーザー光のパワーは書き込みデータに応じて変化するため、第１のサンプリングタイミング信号３０２は、その立ち上がりエッジ（後述するように、この立ち上がりエッジはサンプルホールド回路７４Ｄにとってのトリガエッジである）の発生間隔が変化する信号である。
【００２６】
このようなサンプルタイミング信号３０２からサイドスポット系のサンプルホールド回路７４Ｇの図４（Ｄ）に示したようなサンプルタイミング信号３５０を生成する場合、サンプルタイミング信号３０２のハイレベルの持続時間が図４（Ｂ）のａに示すような長い持続時間である時にサンプルタイミング信号３５０をローレベルからハイレベルへ遷移させることで、帯域が狭くセトリング特性が長いサイドスポット系の電流電圧変換器７２Ｇに適合した第２のサンプルタイミング信号３５０を生成している。
【００２７】
第１のサンプルタイミング信号３０２は、サンプルホールド回路７４Ｄに入力されると共に、遅延回路３０に入力されて所定時間遅延されることにより、図４（Ｃ）に示したような遅延サンプリングタイミング信号８０となり、この遅延サンプリングタイミング信号８０が、ＳＲフリップフロップ３１のリセット端子Ｒに入力されている。ＳＲフリップフロップ３１のセット端子Ｓには第１のサンプルタイミング信号３０２が入力されている。ＳＲフリップフロップ３１の反転出力端子ＸＱの出力は、Ｄフリップフロップ３２のデータ端子Ｄに入力され、Ｄフリップフロップ３２のクロック端子ＣＫとリセット端子Ｒには第１のサンプルタイミング信号３０２が入力されている。クロック端子ＣＫは第１のサンプリングタイミング信号３０２の立ち上がりエッジでトリガされる。リセット端子Ｒは第１のサンプリングタイミング信号３０２の立ち下がりエッジでトリガされる。Ｄフリップフロップ３２の出力端子Ｑの出力は、Ｄフリップフロップ３３のデータ端子Ｄに入力されており、Ｄフリップフロップ３３のクロック端子ＣＫには遅延サンプリングタイミング信号８０が入力されており、リセット端子Ｒには第１のサンプルタイミング信号３０２が入力されている。Ｄフリップフロップ３３のクロック端子ＣＫは遅延サンプリングタイミング信号８０の立ち下がりエッジでトリガされ、リセット端子Ｒは第１のサンプリングタイミング信号３０２の立ち下がりエッジでトリガされる。
【００２８】
第１のサンプルタイミング信号３０２がローレベルで、遅延サンプリングタイミング信号８０もローレベルである時、ＳＲフリップフロップ３１はリセットされていて、その反転出力ＸＱはハイレベルとなっている。これにより、Ｄフリップフロップ３２のデータ端子Ｄにはハイレベルの信号が入力されているため動作可能状態になっていて、その出力端子Ｑの出力はローレベルになっている。
【００２９】
この時、第１のサンプルタイミング信号３０２が図４（Ｂ）のａに示すようにハイレベルになるエッジで、Ｄフリップフロップ３２がトリガされてその出力端子Ｑがハイレベルとなると共に、ＳＲフリップフロップ３１がセットされ、その反転出力端子ｘＱの出力はローレベルになる。Ｄフリップフロップ３２の出力端子Ｑがハイレベルになると、Ｄフリップフロップ３３のデータ端子Ｄがハイレベルになるため、Ｄフリップフロップ３３は動作可能状態となるが、いまだその出力端子Ｑの出力（これは第２のサンプルタイミング信号３５０である）はローレベルである。
【００３０】
この状態で、第１のサンプルタイミング信号３０２が立ち下がる前に、図４（Ｃ）のｂに示すように遅延サンプリングタイミング信号８０がハイレベルに遷移すると、Ｄフリップフロップ３３が動作し、その出力Ｑがハイレベルになり、図４（Ｄ）のｃに示すように第２のサンプルタイミング信号３５０が立ち上がる。その時、遅延サンプリングタイミング信号８０によりＳＲフリップフロップ３１はリセットされ、その反転出力端子ｘＱの出力はハイレベルになる。この状態で、第１のサンプルタイミング信号３０２がローレベルに立ち下がると、Ｄフリップフロップ３２、３３がリセットされ、Ｄフリップフロップ３３の出力端子Ｑの出力がローレベルになって第２のサンプルタイミング信号３５０が立ち下がり、結局サンプルタイミング信号３０２に遅延してサンプルタイミング信号３５０が出力されたことになる。
【００３１】
しかし、第１のサンプルタイミング信号３０２が図４（Ｂ）のｄに示すように立ち上がるが、遅延サンプリングタイミング信号８０がハイレベルに遷移する前に第１のサンプルタイミング信号３０２が立ち下がると、Ｄフリップフロップ３３がリセットされ、その出力端子Ｑの出力がローレベルになる。その状態の時に、図４（Ｃ）のｅに示すように遅延サンプリングタイミング信号８０がハイレベルに立ち上がっても、Ｄフリップフロップ３２は動作せず、その出力端子Ｑの出力がローレベルのままであり、そのため、図４（Ｄ）のｆに示すように、第２のサンプルタイミング信号３５０はハイレベルへ遷移しない。したがって、第１のサンプルタイミング信号３０２のハイレベルの持続時間が短い時に第２のサンプルタイミング信号３０２が図４（Ｅ）のｇ、ｈのように立ち上がることがないようにして、サイドスポット系のサンプルホールド回路７４Ｇのサンプルホールド動作に適した第２のサンプルタイミング信号３５０を生成している。
【００３２】
したがって、図３に示したサンプルタイミング信号生成回路６０は、第１のサンプルタイミング信号３０２が立ち上がり、その後、この第１のサンプルタイミング信号３０２が立ち下がる前に、遅延サンプリングタイミング信号８０が立ち上がった場合のみ、第２のサンプルタイミング信号３５０に立ち上がりエッジを発生させる回路であると言える。
【００３３】
サイドスポット系のサンプルホールド回路７４Ｇは、入力される図４（Ａ）で示した光電変換信号のバイアス期間（ローレベル期間）が長い場合（図４（Ａ）のｉに示すところ）、そのバイアス期間中に、図４（Ｄ）で示した第２のサンプルタイミング信号３５０の立上りエッジによってトリガされて、その光電変換信号をサンプルホールドする。また、サンプルホールド回路７４Ｄは第１のサンプルタイミング信号３０２の立上りエッジによりトリガされてサンプルホールド動作するため、上記のような別のサンプルタイミング信号を生成して用いることはない。
【００３４】
尚、フロントモニタフォトディテクタ回路８で用いられるサンプルホールド回路８３、８４はフォトディテクタ回路７で用いられるサンプルホールド回路７３と同一構成であるが、この場合はメインスポット系とサイドスポット系の区別がなく、全てメインスポット系と同等のため、サンプルタイミング信号３０１、３０２によりサンプルホールドする動作を行う。
以上の説明を要約すると、以下の通りである。
メインスポット系のサンプルホールド回路７４Ｄは、ローレベルとハイレベルとの間で遷移する第１のサンプリングタイミング信号３０２を受取り、この第１のサンプリングタイミング信号３０２のローレベルからハイレベルへの遷移（即ち、立ち上がりエッジ）をトリガエッジとしてサンプリング動作を実行する。
サイドスポット系のサンプルホールド回路７４Ｇは、ローレベルとハイレベルとの間で遷移する第２のサンプリングタイミング信号３５０を受取り、この第２のサンプリングタイミング信号３５０のローレベルからハイレベルへの遷移（即ち、立ち上がりエッジ）をトリガエッジとしてサンプリング動作を実行する。
サンプリングタイミング信号発生回路６０は、（ａ）第１のサンプリングタイミング信号３０２のトリガエッジの発生間隔が所定間隔を超える場合に、この第１のサンプリングタイミング信号３０２のトリガエッジの発生に対応して第２のサンプリングタイミング信号３５０にトリガエッジを発生させ、（ｂ）第１のサンプリングタイミング信号３０２のトリガエッジの発生間隔が前記所定間隔を超えない場合に、第２のサンプリングタイミング信号３５０のトリガエッジの発生を阻止するように構成されている。
また、これによって、サンプルホールド回路７４Ｄによるサンプリング間隔が前記所定間隔を超える場合にサンプルホールド回路７４Ｇによるサンプリングが行われ、サンプルホールド回路７４Ｄによるサンプリング間隔が前記所定間隔を超えない場合にサンプルホールド回路７４Ｇによるサンプリングが省かれるようになっている。
更に換言するならば、以上の説明から、以下のことが明らかである。
サンプリングタイミング信号発生回路６０は、（ａ）第１のサンプリングタイミング信号３０２がローレベルからハイレベルへ遷移してからそのハイレベルをを維持したまま第２の所定時間が経過したときに、第２サンプリングタイミング信号３５０をローレベルからハイレベルへ遷移させ、（ｂ）第１のサンプリングタイミング信号３０２がハイレベルからローレベルへ遷移したときに、第２のサンプリングタイミング信号３５０をローレベルに維持し（それまで第２のサンプリングタイミング信号３５０がローレベルであった場合）、または第２のサンプリングタイミング信号３５０をローレベルへ遷移させる（それまで第２のサンプリングタイミング信号３５０がハイレベルであった場合）ように構成されている。
また、サンプリングタイミング信号発生回路６０は、第１のサンプルタイミング信号３０２を第２の所定時間だけ遅延させた遅延サンプリングタイミング信号８０を生成する遅延回路３０を備えると共に、ＳＲフリップフロップ３１、Ｄフリップフロップ３２、及びＤフリップフロップ３３で構成された状態設定回路を備えており、この状態設定回路は、第１のサンプルタイミング信号３０２の状態と、遅延サンプリングタイミング信号８０の状態とに基づいて、第２のサンプルタイミング信号の３５０状態を設定する回路である。
そして、この状態設定回路は、（ａ）第１のサンプリングタイミング信号３０２がハイレベルにあり、第２のサンプリングタイミング信号３５０がローレベルにあり、遅延サンプリングタイミング信号８０がローレベルからハイレベルへ遷移したときに、第２のサンプルタイミング信号をローレベルからハイレベルへ遷移させ、（ｂ）第１のサンプリングタイミング信号３０２がハイレベルからローレベルへ遷移したときに、第２のサンプリングタイミング信号３５０をローレベルに維持し（それまで第２のサンプリングタイミング信号３５０がローレベルであった場合）、または第２のサンプリングタイミング信号３５０をローレベルへ遷移させる（それまで第２のサンプリングタイミング信号３５０がハイレベルであった場合）ように構成されている。
【００３５】
フォトディテクタ回路７のサンプルホールド回路７３でホールドされた信号はフレキシブルケーブルを通してＲＦ信号処理回路９のＯＰＣ９１とウォブル・アドレス検出回路９２に伝送され、サンプルホールド回路７４でホールドされた信号はフレキシブルケーブルを通してウォブル・アドレス検出回路９２とサーボ信号生成回路９３とＲＦ信号生成回路９４に伝送され、読み出し信号の周波数特性やレベルなどを整形してＲＦ信号を生成する。 
【００３６】
フロントモニタフォトディテクタ回路８のサンプルホールド回路８３でホールドされた信号はフレキシブルケーブルを通してＲＦ信号処理回路９のＡＰＣ９５に伝送され、サンプルホールド回路８４でホールドされた信号もフレキシブルケーブルを通して同ＡＰＣ９５に伝送する。
【００３７】
ＲＦ信号処理回路９のＯＰＣ９１は受光信号の書き込み期間のレベルに基づいて半導体レーザー５の最適記録出力レベルを求め、これをＡＰＣ９５に設定する。ＡＰＣ９５は書き込み期間とバイアス期間のパワーモニタ信号のレベルに基づいて半導体レーザー５の出射パワーを設定値とする制御を行う。
【００３８】
サーボ信号生成回路９３は受光信号のバイアス期間のサンプル信号より各種サーボ信号を算出して、これらサーボ信号をデジタルシグナルプロセッサ１０のサーボ回路１０１に出力する。サーボ回路１０１は、入力されたサーボ信号に基づいて図示されないアクチュエータを駆動するサーボ信号を発生し、これをアクチュエータに出力する。これにより、フォトディテクタ回路７、フロントモニタフォトディテクタ回路８及び光学系（半導体レーザー５、ビームスプリッタ２、対物レンズ１など）から構成される光ピックアップのトラッキング制御やフォーカス制御などが行われる。
【００３９】
ウォブル・アドレス検出回路９２は、受光信号の書き込み期間とバイアス期間のサンプル信号に基づいて絶対アドレスを求める。コントローラ１１は現在データを書き込んでいる光ディスク１００の場所を上記求められた絶対アドレスに基づいて常にモニタし、所定の場所にデータが書きこまれない場合は、サーボ回路１０１を制御して再書き込みなどの制御を行う。また、コントローラ１１はエンコーダ１０５、デコーダ１０３及びサーボ回路１０１のオンオフ制御や装置全体の制御をしており、操作パネル（図示せず）などのインターフェースから入力されるユーザ指示を装置動作に反映したり、装置の状態などを操作パネルのディスプレイに表示したりする制御を行う。
【００４０】
また、光ディスク１００の再生時、ＲＦ信号生成回路９４にはフォトディテクタ回路７のサンプルホールド回路７４とフロントモニタフォトディテクタ回路８のサンプルホールド回路８４からサンプルホールド信号が入力される。フォトディテクタ回路７のＲＦ信号生成回路９４は入力されるサンプルホールド信号の周波数をイコライズしたりレベルを整形してＲＦ信号とし、これをデジタルシグナルプロセッサ１０の信号処理回路１０２に出力する。信号処理回路１０２はＲＦ信号を２値化して読み出しデータとし、これをデコーダ１０３に出力する。デコーダ１０３は読み出しデータをデコードしてユーザーデータとし、これをコントローラ１１に出力する。その時のサーボ信号生成回路９３やサーボ回路１０１の動作は書き込み時と同様である。また、ＡＰＣ９５はサンプルホールド回路８４から入力されるサンプルホールド信号に基づいて半導体レーザー出射パワーを所定の一定値に制御する。
【００４１】
本実施の形態によれば、デジタルシグナルプロセッサ１０からフォトディテクタ回路７にはサンプルタイミング信号３０１、３０２がフレキシブルケーブルを通して伝送されるが、フォトディテクタ回路７内のサンプリング信号生成回路６０により第１のサンプルタイミング信号３０２から生成された第２のサンプルタイミング信号３５０を用いてサイドスポット系のサンプルホールド回路７４Ｇを動作させるようにしているため、デジタルシグナルプロセッサ１０からサイドスポット系のサンプルホールド回路７４Ｇをトリガする専用のサンプルタイミング信号をフォトディテクタ回路７に伝送する必要がなく、フレキシブルケーブルを通る配線数を削減して、フレキシブルケーブルのサイズの増大を防止することができ、装置のコンパクト化に寄与することができる。
【００４２】
また、第１のサンプルタイミング信号３０２と、この第１のサンプルタイミング信号３０２を所定時間だけ遅延させた遅延サンプリングタイミング信号８０とから、第２のサンプルタイミング信号３５０を生成しており、その際、第１のサンプルタイミング信号３０２が立ち上がり、その後、この第１のサンプルタイミング信号３０２が立ち下がる前に、遅延サンプリングタイミング信号８０が立ち上がった場合のみ、第２のサンプルタイミング信号３５０に立ち上がりエッジを発生させるようにして、偽信号のない精度の高いサンプルタイミング信号３５０を生成することができる。
【００４３】
また、サイドスポット系のサンプルホールと回路７４Ｇを専用のサンプルタイミング信号３５０で動作させているため、サイドスポット系の回路の帯域を狭く且つセトリングを長く設定できるため、回路規模を小さく且つ回路のコストを低減させることができる。
【００４４】
さらに、フォトディテクタ回路７及びフロントモニタフォトディテクタ回路８では受光信号及びパワーモニタ信号をサンプリングし、サンプルホールド信号を次段のＲＦ信号処理回路９にフレキシブルケーブルを通して送っているため、フォトディテクタ回路７及びフロントモニタフォトディテクタ回路８内でのサンプリング時の書き込みパワーからバイアスパワーへの静定時間はフレキシブルケーブルを駆動する必要が無いため、初段のスルーレートを上げて十分に短くすることができ、記録倍速が大きくなった場合にも精度の良いサンプリングを行うことができるので、安定で精度の良いサンプルホールド信号をＲＦ信号処理回路９に伝送できる。これにより、ＲＦ信号処理回路９内の各種信号処理を精度の良く且つ安定に行うことができ、記録倍速が大きくても、円滑なデータの書き込みを行うことができる。
【００４５】
尚、本発明は上記実施の形態に限定されることなく、その要旨を逸脱しない範囲において、具体的な構成、機能、作用、効果において、他の種々の形態によっても実施することができる。
【図面の簡単な説明】
【００４６】
【図１】本発明の一実施の形態に係る光ディスク装置の構成を示したブロック図である。
【図２】図１に示したフォトディテクタ回路の詳細例を示したブロック図である。
【図３】図１に示したフォトディテクタ回路に内蔵されるサンプルタイミング信号生成回路の構成を示したブロック図である。
【図４】図３に示したサンプルタイミング信号生成回路の動作を説明するタイミングチャートである。
【図５】従来の差動プッシュプル法におけるメインスポットとサイドスポットの位置関係を示した図である。
【図６】従来のフレキシブルケーブルを通過した際の信号波形の変形例を示した図である。
【符号の説明】
【００４７】
１……対物レンズ、２……ビームスプリッタ（ＢＳ）、３、４……集光レンズ、５……半導体レーザー（ＬＤ）、６……レーザー駆動回路（ＬＤＤ）、７……フォトディテクタ回路（ＰＤＩＣ）、８……フロントモニタフォトディテクタ回路（ＦＰＤＩＣ）、９……ＲＦ信号処理回路、１０……デジタルシグナルプロセッサ（ＤＳＰ）、１１……コントローラ、３０……ディレイ回路、３１……ＳＲフリップフロップ、３２、３３……Ｄフリップフロップ、６０……サンプルタイミング信号生成回路、７１、８１……フォトディテクタ（ＰＤ）、７２、７２Ｄ、７２Ｇ、８２……電流電圧変換器（Ｉ／Ｖ）、７３、７３Ｄ、７４、７４Ｄ、７４Ｇ、８３、８４……サンプルホールド回路（Ｓ／Ｈ）、９１……ＯＰＣ、９２……ウォブル・アドレス検出回路 （ＷＯＢＢＬＥ・ＡＤＤＲＥＳＳ）、９３……サーボ信号生成回路（ＳＥＲＶＯ）、９４……ＲＦ信号生成回路（ＲＦ）、９５……自動出射パワー制御回路（ＡＰＣ）、１０１……サーボ回路、１０２……信号処理回路、１０３……デコーダ、１０４……書き込みストラテジ・タイミング発生回路、１０５……エンコーダ。
【図１】
0003879928.tif 000002
【図２】
0003879928.tif 000003
【図３】
0003879928.tif 000004
【図４】
0003879928.tif 000005
【図５】
0003879928.tif 000006
【図６】
0003879928.tif 000007